【手続補正書】
【提出日】平成28年2月19日(2016.2.19)
【手続補正１】
【補正対象書類名】明細書
【補正対象項目名】００４１
【補正方法】変更
【補正の内容】
【００４１】
本発明の一実施形態に係る前記本体１００は、弾性素材で作られることが好ましく、ヒアルロン酸（ｈｙａｌｕｒｏｎｉｃ  ａｃｉｄ：ＨＡ）、ポリ乳酸（ｐｏｌｙｌａｃｔｉｃ  ａｃｉｄ：ＰＬＡ）、乳酸・グリコール酸共重合体（ｐｏｌｙｇｌｙｃｏ‐ｌａｃｔｉｃ  ａｃｉｄ：ＰＧＬＡ）およびポリジオキサノン（ｐｏｌｙｄｉｏｘａｎｏｎｅ：ＰＤＳ）といった生分解性ポリマーまたはナイロン、シリコン、ポリプロピレン、ポリプロピルエチレンおよびテフロン（ｔｅｆｌｏｎ：登録商標、一般名称：ポリテトラフルオロエチレン）といった非生分解性ポリマーで作られてよい。生分解性高分子を使用する場合には、線維組織の形成後にシワ除去用充填体が徐々に分解吸収され、非生分解性ポリマーを使用する場合には、シワ除去用充填体が皮下層に永久的に残るようになる。
【手続補正２】
【補正対象書類名】特許請求の範囲
【補正対象項目名】全文
【補正方法】変更
【補正の内容】
【特許請求の範囲】
【請求項１】
内部に中空部が形成されており、かつ皮下層を貫通して施術され得る細く長い一体型の管形状の本体；および、
前記本体の周辺組織に位置している細胞が本体内部に移動して線維組織を形成可能な細胞の移動通路を形成することができるように、前記本体の長さ方向に沿って貫通して形成された縦裂（ｌｏｎｇｉｔｕｄｉｎａｌ  ｃｌｅｆｔ）を含むことを特徴とするシワ除去用充填体。
【請求項２】
内部に中空部が形成されており、皮下層を貫通して施術され得る細く長い一体型の管形状の本体；および、
前記本体の周辺組織に位置している細胞が本体内部に移動して線維組織を形成可能な細胞の移動通路を形成する２以上の短い間隙が相互離隔された状態で前記本体の長さ方向に沿って貫通して形成された分離縦裂を含むことを特徴とするシワ除去用充填体。
【請求項３】
２以上の帯形状からなる多数列の分体を相互交差させてらせん形に巻き、細く長い管形状を成す本体；および、
前記本体の長さ方向に沿って貫通して形成された縦裂（ｌｏｎｇｉｔｕｄｉｎａｌ  ｃｌｅｆｔ）を含むことを特徴とするシワ除去用充填体。
【請求項４】
内部に中空部が形成された短く細い管形状の本体；
前記本体の外周面から内周面に達するように長さ方向に沿って貫通して形成された縦裂（ｌｏｎｇｉｔｕｄｉｎａｌ  ｃｌｅｆｔ）；および、
前記中空部相互間が隣接するように一列に配置された多数の短い本体の内部に設置されて、前記中空部を長さ方向に貫通して連結する連結体を含むことを特徴とするシワ除去用充填体。
【請求項５】
内部に中空部が形成された細く長い一体型の管形状の本体；
前記本体の長さ方向に沿って貫通して形成された縦裂（ｌｏｎｇｉｔｕｄｉｎａｌ  ｃｌｅｆｔ）；および、
前記本体の外周面に、その表面の一部を切開加工して形成された弾性突起を含むことを特徴とするシワ除去用充填体。
【請求項６】
細く長い一体型の管形状の本体；
前記本体の長さ方向に沿って貫通して形成された縦裂（ｌｏｎｇｉｔｕｄｉｎａｌ  ｃｌｅｆｔ）；および、
前記本体の外周面に、その表面の一部を切開加工して形成され、前記本体の中間部を中心にデカルコマニー形態を成して相互対称な鋭角を有するように形成された弾性突起を含むことを特徴とするシワ除去用充填体。
【請求項７】
内部に中空部が形成された細く長い一体型の管形状の本体；
前記本体の周辺組織に位置している細胞が本体内部に移動して線維組織を形成可能な細胞の移動通路を形成する２以上の短い間隙が相互離隔された状態で、前記本体の長さ方向に沿って貫通して形成された分離縦裂；および、
前記本体の外周面に、その表面の一部を切開加工して形成された弾性突起を含むことを特徴とするシワ除去用充填体。
【請求項８】
２以上の帯形状からなる多数列の分体を相互交差させてらせん形に巻き、細く長い管形状を成す本体；および、
前記本体の外面と内面を貫通する複数個の通孔を含んで構成され、
前記通孔は、前記分体と分体との間に形成されることを特徴とするシワ除去用充填体。
【請求項９】
前記本体内部の中空部内に形成された多数の隔壁をさらに含むことを特徴とする、請求項１〜８のいずれか一項に記載のシワ除去用充填体。
【請求項１０】
前記本体内部の中空部内に形成されたらせん形弾性支持体をさらに含むことを特徴とする、請求項１〜９のいずれか一項に記載のシワ除去用充填体。
【請求項１１】
前記本体の外部を覆い囲むらせん弾性支持体をさらに含むことを特徴とする、請求項１〜１０のいずれか一項に記載のシワ除去用充填体。
【請求項１２】
前記本体には、
相互離隔された凹部が形成されることを特徴とする、請求項８に記載のシワ除去用充填体。
【請求項１３】
前記凹部は、
前記本体を収縮して形成されることを特徴とする、請求項１２に記載のシワ除去用充填体。
【請求項１４】
前記本体は、横断面が円形であり、０．６から３．０ｍｍの直径を有しており、
前記中空部は、０．５〜２．８ｍｍの直径を有するように形成されることを特徴とする、請求項１〜１３のいずれか一項に記載のシワ除去用充填体。
【請求項１５】
前記本体は、横断面が多角形形状に形成されることを特徴とする、請求項１〜１４のいずれか一項に記載のシワ除去用充填体。
【請求項１６】
前記縦裂は、間隙の距離が０．１〜２．０ｍｍに形成されることを特徴とする、請求項１〜７および９〜１１のいずれか一項に記載のシワ除去用充填体。
【請求項１７】
前記縦裂は、間隙間の距離が本体断面の円形換算周長の１／８〜１／４の大きさを有するように形成されることを特徴とする、請求項１〜７および９〜１１のいずれか一項に記載のシワ除去用充填体。
【請求項１８】
前記本体は、弾性素材で形成されることを特徴とする、請求項１〜１７のいずれか一項に記載のシワ除去用充填体。
【請求項１９】
前記本体は、ヒアルロン酸（ｈｙａｌｕｒｏｎｉｃ  ａｃｉｄ：ＨＡ）、ポリ乳酸（ｐｏｌｙｌａｃｔｉｃ  ａｃｉｄ：ＰＬＡ）、乳酸・グリコール酸共重合体（ｐｏｌｙｇｌｙｃｏ‐ｌａｃｔｉｃ  ａｃｉｄ：ＰＧＬＡ）またはポリジオキサノン（ｐｏｌｙｄｉｏｘａｎｏｎｅ：ＰＤＳ）からなる群より選択された生分解性高分子で作られることを特徴とする、請求項１〜１８のいずれか一項に記載のシワ除去用充填体。
【請求項２０】
前記本体は、ナイロン、シリコン、ポリプロピレン、ポリプロピルエチレンまたはポリテトラフルオロエチレンからなる群より選択された非生分解性高分子で作られることを特徴とする、請求項１〜１９のいずれか一項に記載のシワ除去用充填体。
【請求項２１】
前記本体は、内皮と外皮が物性の異なる物質で構成された二重層構造で形成されることを特徴とする、請求項１〜２０のいずれか一項に記載のシワ除去用充填体。
【請求項２２】
前記内皮は、硬性材質で形成され、前記外皮は、軟性材質で形成されることを特徴とする、請求項１〜２１のいずれか一項に記載のシワ除去用充填体。
【請求項２３】
前記内皮は、吸収性材質で形成され、前記外殻は、非吸収性材質で形成されることを特徴とする、請求項２１に記載のシワ除去用充填体。
【請求項２４】
前記内皮と外皮は、互いに異なる吸収速度を有する吸収性材質で形成されることを特徴とする、請求項２１に記載のシワ除去用充填体。
【請求項２５】
前記本体の全面にわたって貫通して形成された少なくとも一つ以上の通孔を含むことを特徴とする、請求項１〜２４のいずれか一項に記載のシワ除去用充填体。
【請求項２６】
前記通孔は、その形状が円形の場合は直径または同一断面積の円形換算直径が４０〜５００μｍであることを特徴とする、請求項２５に記載のシワ除去用充填体。
【請求項２７】
前記本体の外部に、部分的または全体的に造影剤を塗布したことを特徴とする、請求項１〜２６のいずれか一項に記載のシワ除去用充填体。
【請求項２８】
前記本体の外周面または内周面に線維組織の形成を促進するための成長因子がコーティングされ、または内包されることを特徴とする、請求項１〜２７のいずれか一項に記載のシワ除去用充填体。
【請求項２９】
前記本体には、組織生成物質、炎症反応誘発促進物質、組織生成抑制物質または組織生成阻害剤のうちいずれか一つをコーティング、塗布または吸着させることを特徴とする、請求項１〜２８のいずれか一項に記載のシワ除去用充填剤。